(57)【要約】【課題】所望する複数のポス用機能別周辺機器をコンピュータに接続して用いることができる, レジスター機能を有するコンピュータ接続式ポス用機能別周辺機器システムのシステム駆動プログラムを提供すること。【解決手段】コンピュータ2 を，所望する機能別周辺機器1 の使用可否選択入力手段，予め個別に記録した各種のポス用機能別周辺機器駆動プログラム221 の内から，選択した機能別周辺機器に，対応する該ポス用機能別周辺機器駆動プログラムの指令を接続する手段，選択した該機能別周辺機器の接続を確認する手段，接続確認したポス用機能別周辺機器駆動プログラムの指令を，命令待受状態にする手段，及び接続確認できないポス用機能別周辺機器駆動プログラムの指令接続解除手段，として機能させるためのシステム駆動プログラムを確保する。【選択図】      図１                                                    
2005122600.tif 000002
【特許請求の範囲】
【請求項１】
所望する複数のポス用機能別周辺機器（１）を配線接続したコンピュータ（２）を，
所望する機能別周辺機器の使用可否を選択し入力する手段，
予めコンピュータ（１）のメモリ（２２）に個別に記録した各種のポス用機能別周辺機器駆動プログラム(222) の内から，選択した機能別周辺機器に，対応する該ポス用機能別周辺機器駆動プログラムの指令を接続する手段，
選択した該機能別周辺機器に対応する，該接続する手段の接続を確認する手段，
接続を確認したポス用機能別周辺機器駆動プログラムの指令を，命令待ち受け状態にする手段，及び，
接続を確認できないポス用機能別周辺機器駆動プログラムの指令を，接続解除にする手段，
として機能させるためのシステム駆動プログラム。
【請求項２】
所望する複数のポス用機能別周辺機器（１）を配線接続したコンピュータ（２）を，
所望する機能別周辺機器の使用可否を選択し入力する手段，
予めコンピュータ（１）のメモリ（２２）に個別に記録した各種のポス用機能別周辺機器駆動プログラム(222) の内から，選択した機能別周辺機器に，対応する該ポス用機能別周辺機器駆動プログラムの指令を接続する手段，
選択した該機能別周辺機器に対応する，該接続する手段の接続を確認する手段，
接続を確認したポス用機能別周辺機器駆動プログラムの指令を，命令待ち受け状態にする手段，及び
接続を確認できないポス用機能別周辺機器駆動プログラムの指令を，接続解除にする手段，
として機能させるためのシステム駆動プログラムを記録したコンピュータ読み取り可能な記録媒体。
【請求項３】
所望する複数のポス用機能別周辺機器（１）を配線接続したコンピュータ（２）から構成するシステムであって，
所望する機能別周辺機器の使用可否を選択し入力する手段，
予めコンピュータ（１）のメモリ（２２）に個別に記録した各種のポス用機能別周辺機器駆動プログラム(222) の内から，選択した機能別周辺機器に，対応する該ポス用機能別周辺機器駆動プログラムの指令を接続する手段，
選択した該機能別周辺機器に対応する，該接続する手段の接続を確認する手段，
接続を確認したポス用機能別周辺機器駆動プログラムの指令を，命令待ち受け状態にする手段，及び
接続を確認できないポス用機能別周辺機器駆動プログラムの指令を，接続解除にする手段，
からなるコンピュータ接続式ポス用機能別周辺機器システム。
【発明の詳細な説明】
【技術分野】
【０００１】
本発明は，所望する複数のポス用機能別周辺機器をパソコン等のコンピュータに接続して用いることができる, レジスター機能を有するコンピュータ接続式ポス用機能別周辺機器システムのシステム駆動プログラム及び当該プログラムを記録したコンピュータ読み取り可能な記録媒体，並びにコンピュータ接続式ポス用機能別周辺機器システムに関する。
【背景技術】
【０００２】
従来のレジスター機能を有する装置は，ポスシステムとも呼ぶ, 各種のレジスター装置があり，いずれもコンピュータ内蔵式の, 特定のレジスター機能を有する固定した複数のポス用機能別周辺機器を持つレジスター装置の開示があった。例えば, 特定のレジスター機能を有する固定した複数のポス用機能別周辺機器として, レジスター入力器であるキーボード, レシート印刷器であるレシートプリンタ, レジスター表示器である表示部, ドロワーとも呼ぶキャッシュトレイ, そしてバーコードスキャナを有するレジスター装置の開示があった。
【０００３】
しかし，上記のレジスター装置は，このように特定のレジスター機能を有する固定した複数のポス用機能別周辺機器を有しているので，別の機能を持つ周辺機器を新たに取り付けたり, 不要になった固定した該周辺機器を取り外して使用することに対し, 柔軟に対応できないため, 新しい使用目的に合うポスシステムとも呼ぶ, レジスター装置を購入せざるをおえないと共に，いずれもコンピュータ内蔵式であることもかさなり，高価になる欠点があった。
【特許文献１】特開平８─２２５７７「レジスター装置」（全頁，全図）
【発明の開示】
【発明が解決しようとする課題】
【０００４】
解決しようとする問題点は，購入者のニーズにあわせて，所望する複数のポス用機能別周辺機器を容易に取り付け・取り外しが可能な，レジスター機能を有し多様性を持つ装置を確保する点である。
【課題を解決するための手段】
【０００５】
本発明のシステム駆動プログラム及び当該プログラムを記録したコンピュータ読み取り可能な記録媒体を用いる，コンピュータ接続式ポス用機能別周辺機器システムは，パソコン等のコンピュータに所望する複数のポス用機能別周辺機器を容易に取り付け・取り外しが可能に装備し，該コンピュータでポス用機能別周辺機器の使用可否を制御することで，ポス用機能別周辺機器接続端末として使用すると共に，コンピュータとしても使用する事を特徴とする。
【発明の効果】
【０００６】
本発明のコンピュータ接続式ポス用機能別周辺機器システムは，パソコン等のコンピュータと，所望する複数のポス用機能別周辺機器との組み合わせによって，レジスター機能を有するポスシステムとして使用できる利点がある。
【０００７】
本発明のコンピュータ接続式ポス用機能別周辺機器システムは，別の機能を持つ周辺機器を新たに取り付けたり, 不要になった周辺機器を取り外して容易に使用でき, 柔軟に対応できる利点がある。
【０００８】
本発明のコンピュータ接続式ポス用機能別周辺機器システムは，新しい使用目的に合うポス用機能別周辺機器を取り付ける場合，その新規のポス用機能別周辺機器を取り付けるだけで良いので，安価に専用のポスシステムを提供できる利点がある。
【０００９】
本発明のコンピュータ接続式ポス用機能別周辺機器システムは，パソコン等のコンピュータを擁しているので，容易にインターネット等の通信網に接続し，複数の支店店舗にこのシステムを配設し，同様に該通信網にサーバを介して接続した店舗本社のホスト・コンピュータに，該通信網を用い各支店店舗から，売上・登録・商品情報を直ちに送信し，これらの情報を受理した該店舗本社は，集計・分析等を行うことができる利点がある。
【発明を実施するための最良の形態】
【００１０】
本発明のシステム駆動プログラムは，所望する複数のポス用機能別周辺機器を配線接続したレジスター機能を有するパソコン等のコンピュータを，
所望する機能別周辺機器の使用可否を選択し, キーボード等の入力手段から入力する手段，
予めコンピュータのメモリに, ディスク等の入力手段を用いて個別に記録した各種のポス用機能別周辺機器駆動プログラムの内から，選択した機能別周辺機器に，対応する該ポス用機能別周辺機器駆動プログラムの指令を接続する手段，
選択した該機能別周辺機器に対応する, 該接続する手段の接続を確認する手段，
接続を確認したポス用機能別周辺機器駆動プログラムの指令を，命令待ち受け状態にする手段，及び
接続を確認できないポス用機能別周辺機器駆動プログラムの指令を，接続解除にする手段，
として機能させるためのシステム駆動プログラムである事を特徴とする。
【００１１】
本発明のシステム駆動プログラムを記録したコンピュータ読み取り可能な記録媒体は，所望する複数のポス用機能別周辺機器を配線接続したレジスター機能を有するパソコン等のコンピュータを，
所望する機能別周辺機器の使用可否を選択し, キーボード等の入力手段から入力する手段，
予めコンピュータのメモリに, ディスク等の入力手段を用いて個別に記録した各種のポス用機能別周辺機器駆動プログラムの内から，選択した機能別周辺機器に，対応する該ポス用機能別周辺機器駆動プログラムの指令を接続する手段，
選択した該機能別周辺機器に対応する, 該接続する手段の接続を確認する手段，
接続を確認したポス用機能別周辺機器駆動プログラムの指令を，命令待ち受け状態にする手段，及び
接続を確認できないポス用機能別周辺機器駆動プログラムの指令を，接続解除にする手段，
として機能させるためのシステム駆動プログラムを記録したコンピュータ読み取り可能な記録媒体である事を特徴とする。
【００１２】
本発明のコンピュータ接続式ポス用機能別周辺機器システムは，所望する複数のポス用機能別周辺機器を配線接続したレジスター機能を有するパソコン等のコンピュータから構成するシステムであって，
所望する機能別周辺機器の使用可否を選択し, キーボード等の入力手段から入力する手段，
予めコンピュータのメモリに, ディスク等の入力手段を用いて個別に記録した各種のポス用機能別周辺機器駆動プログラムの内から，選択した機能別周辺機器に，対応する該ポス用機能別周辺機器駆動プログラムの指令を接続する手段，
選択した該機能別周辺機器に対応する, 該接続する手段の接続を確認する手段，
接続を確認したポス用機能別周辺機器駆動プログラムの指令を，命令待ち受け状態にする手段，及び
接続を確認できないポス用機能別周辺機器駆動プログラムの指令を，接続解除にする手段，
からなるコンピュータ接続式ポス用機能別周辺機器システムである事を特徴とする。
【００１３】
本発明のコンピュータ接続式ポス用機能別周辺機器システムのシステム駆動プログラム及び当該プログラムを記録したコンピュータ読み取り可能な記録媒体，並びにコンピュータ接続式ポス用機能別周辺機器システムにおいて，所望する機能別周辺機器の使用可否を選択し入力する手段は，予め所望する機能別周辺機器の使用可否の情報を，メモリに記憶保存し，その使用可否の情報を用い確認する手段を機能させる事も出来る。
【００１４】
本発明のコンピュータ接続式ポス用機能別周辺機器システムに用いる，複数のポス用機能別周辺機器として，下記の機能別周辺機器等の内から所望して選択する事も出来る。
【００１５】
キャッシュトレイ    ：ドロワーとも呼び，主に売上登録時に購入者と操作オペレータとの間でやりとりされる紙幣や硬貨を収納する引出しである。
【００１６】
レジスター表示器    ：ラインディスプレイとも呼び，商品の購入者にたいし品名・価格のリスト表示を行う機器である。
【００１７】
レシート印刷器      ：ポスプリンタとも呼び，売上レシートや領収書を専用のロール紙に印字し切断する事が出来る。
【００１８】
バーコードスキャナ  ：バーコードリーダとも呼び，操作オペレータが商品に貼り付けたバーコードラベルの読み込みを行う機器である。
【００１９】
磁気顧客カード読取器：磁気ストライプリーダとも呼び，細い磁気ストライプを貼り付けた顧客カードであって, 会員カードとして用い, 顧客番号やポイント等の情報が保持されている。。
【００２０】
レジスター入力器    ：ポスキーボードとも呼び，売上業務・売上登録を行うためのレジスター入力器である。
【００２１】
自動釣り銭器        ：購入商品の支払金額に対する釣り銭を，該自動釣り銭器の払出し口へ，紙幣・硬貨で払いだし，また購入者の受取現金は，操作オペレータが投入口に一括投入するだけで自動的に計数・選別・収納を行う事も出来る。
【００２２】
磁気クレジットカード読取器：磁気クレジットカードを入力すると，承認機関と通信し, 購入金額, 税金等のデータを取得する信用照会端末である。
【実施例】
【００２３】
図１は，本発明の実施例のコンピュータ接続式ポス用機能別周辺機器システムの一部欠載概略構成図である。図２は，該システムのシステム駆動プログラムにより実行されるフローチャートである。
【００２４】
本発明の実施例のシステム駆動プログラムは，所望する複数のポス用機能別周辺機器（１）を配線接続したレジスター機能を有するパソコン等のコンピュータ（２）を，図２に示すように，先ずＳ１過程において，所望する機能別周辺機器の使用可否を選択し, キーボード等の入力手段(231) から入力する手段，
次にＳ２過程において，予めコンピュータ（１）のメモリ（２２）に, ディスク等の入力手段(231) を用いて個別に記録した各種のポス用機能別周辺機器駆動プログラム(222) の内から，選択した機能別周辺機器に，対応する該ポス用機能別周辺機器駆動プログラムの指令を接続する手段，
次にＳ３過程において，選択した該機能別周辺機器に対応する該接続する手段の接続を確認する手段，
次にＳ４過程において，該Ｓ３過程において接続を確認した（ＹＥＳ）ポス用機能別周辺機器駆動プログラムの指令を，命令待ち受け状態にする手段，及び      次にＳ５過程において，該Ｓ３過程において接続を確認できない（ＮＯ）ポス用機能別周辺機器駆動プログラムの指令を，接続解除にする手段，
として機能させるためのシステム駆動プログラムである事を特徴とする。
【００２５】
本発明の実施例のシステム駆動プログラムを記録したコンピュータ読み取り可能な記録媒体は，所望する複数のポス用機能別周辺機器（１）を配線接続したレジスター機能を有するパソコン等のコンピュータ（２）を，図２に示すように，
先ずＳ１過程において，所望する機能別周辺機器の使用可否を選択し, キーボード等の入力手段(231) から入力する手段，
次にＳ２過程において，予めコンピュータ（１）のメモリ（２２）に, ディスク等の入力手段(231) を用いて個別に記録した各種のポス用機能別周辺機器駆動プログラム(222) の内から，選択した機能別周辺機器に，対応する該ポス用機能別周辺機器駆動プログラムの指令を接続する手段，
次にＳ３過程において，選択した該機能別周辺機器に対応する該接続する手段の接続を確認する手段，
次にＳ４過程において，該Ｓ３過程において接続を確認した（ＹＥＳ）ポス用機能別周辺機器駆動プログラムの指令を，命令待ち受け状態にする手段，及び      次にＳ５過程において，該Ｓ３過程において接続を確認できない（ＮＯ）ポス用機能別周辺機器駆動プログラムの指令を，接続解除にする手段，
として機能させるためのシステム駆動プログラムを記録したコンピュータ読み取り可能な記録媒体である事を特徴とする。
【００２６】
本発明の実施例のコンピュータ接続式ポス用機能別周辺機器システムは，図１に示すように，所望する複数のポス用機能別周辺機器（１）を配線接続したレジスター機能を有するパソコン等のコンピュータ（２）から構成するシステムであって，
先ずＳ１過程において，所望する機能別周辺機器の使用可否を選択し, キーボード等の入力手段(231) から入力する手段，
次にＳ２過程において，予めコンピュータ（１）のメモリ（２２）に, ディスク等の入力手段(231) を用いて個別に記録した各種のポス用機能別周辺機器駆動プログラム(222) の内から，選択した機能別周辺機器に，対応する該ポス用機能別周辺機器駆動プログラムの指令を接続する手段，
次にＳ３過程において，選択した該機能別周辺機器に対応する該接続する手段の接続を確認する手段，
次にＳ４過程において，該Ｓ３過程において接続を確認した（ＹＥＳ）ポス用機能別周辺機器駆動プログラムの指令を，命令待ち受け状態にする手段，及び      次にＳ５過程において，該Ｓ３過程において接続を確認できない（ＮＯ）ポス用機能別周辺機器駆動プログラムの指令を，接続解除にする手段，
からなるコンピュータ接続式ポス用機能別周辺機器システムである事を特徴とする。
【００２７】
本発明の実施例のコンピュータ接続式ポス用機能別周辺機器システムのシステム駆動プログラム及び当該プログラムを記録したコンピュータ読み取り可能な記録媒体，並びにコンピュータ接続式ポス用機能別周辺機器システムにおいて，Ｓ１過程における，所望する機能別周辺機器の使用可否を選択し入力する手段は，予め所望する機能別周辺機器の使用可否の情報を，メモリ（２２）に記憶保存し，該Ｓ１過程においては，その使用可否の情報を用い確認する手段を機能させる事とした。
【００２８】
本発明の実施例のコンピュータ接続式ポス用機能別周辺機器システムに用いる，複数のポス用機能別周辺機器として，ドロワーとも呼ぶキャッシュトレイ(11)があり, 該キャッシュトレイは，主に売上登録時に購入者と操作オペレータとの間でやりとりされる紙幣や硬貨を収納する引出しである。またラインディスプレイとも呼ぶレジスター表示器(12)があり, 該レジスター表示器は，商品の購入者にたいし品名・価格のリスト表示を行う機器である。またポスプリンタとも呼ぶレシート印刷器(13)があり，該レシート印刷器は，売上レシートや領収書を専用のロール紙に印字し切断することができ，或いは売上の集計情報を印字することも出来る。またバーコードリーダとも呼ぶバーコードスキャナ(14)があり，該バーコードスキャナは，操作オペレータが商品に貼り付けたバーコードラベルの読み込みを行う機器である。また磁気ストライプリーダとも呼ぶ磁気顧客カード読取器(15)があり，該磁気顧客カード読取器は，細い磁気ストライプを貼り付けた顧客カードであって, 会員カードとして用い, 顧客番号やポイント等の情報が保持されている。。またポスキーボードとも呼ぶレジスター入力器(16)があり，該レジスター入力器は，売上業務・売上登録を行うためのレジスター入力器であり，商品の購入者から受け取った支払いの金額を入力するが，該購入者の年齢層や購入商品の分類等も入力する事も出来る。また自動釣り銭器(17)があり，該自動釣り銭器は，購入商品の支払金額に対する釣り銭を，該自動釣り銭器の払出し口へ，紙幣・硬貨で払いだし，また購入者の受取現金は，操作オペレータが投入口に一括投入するだけで自動的に計数・選別・収納を行う事も出来る。またCAT(Credit Authorization Terminal)とも呼ぶ磁気クレジットカード読取器(18)があり，該磁気クレジットカード読取器は，磁気クレジットカードを入力すると，承認機関と通信し, 購入金額, 税金等のデータを取得する信用照会端末であって, 該磁気クレジットカードによる不良・過剰貸出を防御し, 無効カードの判定・与信の紹介・伝票の発行等も瞬時に処理できる。
【図面の簡単な説明】
【００２９】
【図１】本発明のコンピュータ接続式ポス用機能別周辺機器システムの一部欠載概略構成図である。（実施例）
【図２】本発明のコンピュータ接続式ポス用機能別周辺機器システムのシステム駆動プログラムにより実行されるフローチャートである。（実施例）
【符号の説明】
【００３０】
１      機能別周辺機器
２      コンピュータ
３      通信網
１１    キャッシュトレイ（ドロワー）
１２    レジスター表示器
１３    レシート印刷器
１４    バーコードスキャナ
１５    磁気顧客カード読取器
１６    レジスター入力器
１７    自動釣り銭器
１８    磁気クレジットカード読取器
２１    中央制御ユニット（ＣＰＵ）
２２    メモリ
２３    入出力表示手段
２４    インターフェイス
221     システム駆動プログラム
222     ポス用機能別周辺機器駆動プログラム
231     入力手段
232     出力手段
233     表示手段
Ｓ１  機能別周辺機器の使用可否選択入力
Ｓ２  選択周辺機器の対応各周辺機器駆動プログラムへの接続
Ｓ３  選択周辺機器の接続確認
Ｓ４  接続確認した各周辺機器駆動プログラムを命令待ち受け状態にする
Ｓ５  接続確認できない各周辺機器駆動プログラムを接続解除にする
【図１】
2005122600.tif 000003
【図２】
2005122600.tif 000004